(57)【要約】【課題】  携帯する持ち物の置き忘れ、盗難を未然に防ぎ防止する警報装置を提供する。【解決手段】  送信器１は一定の周波数電波を連続あるいは間欠的に発信する小型電池を内蔵した送信器であり、携帯物につり付け可能にするキーホルダー２と送信出力を調整するボリューム３を備えている。受信器４は送信器１からの周波数電波の受信機能とアンテナ６を備え、内部にはスピーカー８と警告ランプ６、バイブレータの少なくともいずれかの機能を備え、携帯可能にする小型電池を内蔵している。また受信器４には受信感度調節つまみ７とスピーカー８からの音量を調整可能にするボリュームつまみ１０を備えている。【選択図】      図３
2005222510.tif 000002
【特許請求の範囲】
【請求項１】
一定の周波数電波を連続あるいは間欠的に発信する小型電池を内蔵した送信器と、スピーカー、ランプ、バイブレータの少なくともいずれかの機能を内蔵し前期送信器からの周波数電波の受信機能を備えた小型電池内蔵の受信器との一対からなる送受信器において、受信機側は前期送信器の発信する周波数電波を一定時間内に受信できなくなったとき、あるいは受信感度が低下した場合に、音、光あるいは振動を発生して受信中の電波の受信感度が低下した事を外部に知らせる機能を備えた事を特徴とする携帯可能な少なくとも送信機と受信機の一対からなる警報装置。
【請求項２】
前記受信器側は、前記送信器からの発生周波数電波を受信する機能を備えた携帯電話であり、前記発信器からの電波の受信感度の低下を、音声あるいはバイブレータで外部に知らせる機能を備えた事を特徴とする請求項１記載の携帯電話。
【請求項３】
前記送信器は発信周波数の出力調整機能と受信器側には受信感度調整機能の少なくともいずれかを備えた事を特徴とする請求項１記載の一対の警報装置。
【請求項４】
前記受信器は受信する周波数の感度の低下レベルに応じて発生する警報音または振動を変化させることができる機能を備えた事を特徴とする請求項１記載の警報装置。
【発明の詳細な説明】
【発明の詳細な説明】
【技術分野】
【０００１】  本発明は、携帯電話や、携帯するバックなどの盗難、置き忘れを防止することを可能にした携帯型警報装置に関する。
【背景技術】
【０００２】  従来は、携帯するバックの盗難置き忘れに関しては、所有者と携帯物とを紐、チェーン等で結ぶなど簡単な一般的な方法と、携帯するバックに特定の周波数を発信する発信器を入れて、ＧＰＳまたはレーダーにより発信器の位置を常にモニターで監視して防止する方法がある。
【発明が解決しようとする課題】
【０００３】  しかしながら、上記のような所有者と携帯物を紐やチェーンで連結する方法で、例えば携帯物が傘であったり子供の場合には、頻繁に所有者との距離が離間することがあるため連結を頻繁に外さなければならないなど不自由な面があった。
またレーダーやＧＰＳを利用した方法では、受信器側の装置の大きさ費用とも大がかりになり、また常に監視していなければならないなど、日常携帯するバッグや傘の盗難防止に応用するにはそぐわなかった。
【０００４】  そこで、本発明の目的は先述の問題を解決して、より安全に安価で確実な方法で携帯するバッグや携帯電話の盗難、置き忘れを未然に防ぐ警報装置を提供することにある。
【課題を解決するための手段】
【０００５】  以上の課題を解決するには、本願請求項１に示すように、一定の周波数電波信号を発信している送信器と、前記送信器の発信する周波数電波信号を一定間隔あるいは連続で受信している受信器であって、前記送信器との距離が離れて周波数電波信号が受信できなくなったり、あるいは受信感度が低下した場合に、音声あるいは振動を発して警告する機能を備え、それぞれ電池を内蔵して携帯可能にした一対の送受信器であって、前記送信器を携帯物に取り付け、前記受信器側を携帯者が持つようにする。
これにより、前記送信器の取り付けられた携帯物が、携帯する所有者の置き忘れ、あるいは盗難により携帯者との距離が離れた場合には、携帯者の携帯する受信器が警報音あるいは振動を発生して知らせることにより盗難、紛失を未然に防ぐことができる。
【０００６】  また請求項２のように、携帯電話に前記発信器からの発信周波数電波を受信する機能を備えることにより、携帯電話のもともと内蔵している音声発生機能、振動機能を利用して複数の携帯物があっても、それぞれに前記発信器を取りつけてあれば、安価でよりコンパクトな紛失防止システムが構築できる。しかも送信機の１つを携帯者が身につけていれば前記携帯電話との距離が離れた場合にも前期携帯電話の発する警報音によって携帯電話の盗難、紛失も未然に防ぐことができる。
【発明の効果】
【０００７】  本願発明によれば、日常携帯するバッグや幼児に送信器を取り付けておき、携帯する所有者が本願発明の受信機、あるいは本願発明の受信機能内蔵の携帯電話を身につけていれば、従来のような紐やチェーンで連結していたときのような煩わしさや、レーダーを使った大がかりな装置も必要なく、安価で簡単に、しかも確実な方法で携帯するバッグや携帯電話、幼児との距離が気づかずに離れた場合にも、受信機の警報音によって盗難や幼児の迷子を防止できる。
【発明実施の形態】
【０００８】  次に、本発明の実施の形態を図に従って説明する。
図１は本発明の実施の形態を示す、少なくとも送信器と受信機器の一対からな送信器側の概略図である。図の送信器１の内部には一定の周波数を発信する回路と電池が内蔵されており、電源スイッチ３により本体の電源入力及び切断ができる。送信器本体はキーホルダー２によって携帯するバック等に取り付けられるようになっている。
【０００９】  図２は図１の送信機と対をなす受信器側の概略図である。受信器４の内部には図１で示された発信機側からの発信周波数を受信する回路と電池が内蔵されており、電源ボリュームツマミ１０により受信器１の本体の電源入力が可能となっている。図１の送信器側から発信された電波の受信中は受信モニター用ＬＥＤ５の点灯し、感度調節ツマミ７により受信感度の調節を可能にしている。またアンテナ９は伸縮可能になっており、このアンテナ９の伸縮によっても受信感度が調節できるようになっている。
また、図２の受信器４の内部には図１の送信器からの送信されている周波数の受信ができなくなった時には、警告ランプ６の点灯とスピーカー８からの警告音の発生、また受信器本体が振動する機能を備えている。
【００１０】  例えば図１の送信機を、携帯するバックにキーホルダー２により取り付け電源スイッチ３を入れた状態で取り付けておき、図２の受信機を電源ボリュームツマミ１０により電源を入れた状態で身につけておく。この状態においては受信機側は送信機からの発信周波数を受信中であるため、受信モニターＬＥＤが点灯状態にある。この状態から図１の送信器が取り付けられたバックを置き忘れて、図２の受信機を携帯した携帯者がバックから所定の距離を離れて受信不可能になった場合には警告ランプ６が点灯あるいはスピーカー８から警告音の発生また受信機本体が振動を発生し、携帯者にバックとの距離が離れた事を警告し置き忘れを防止する。
また感度調節ツマミ７により警告を発する距離は任意に調節可能であり、また電源ボリュームツマミ１０により警告音の音量も任意に調節できる。
【発明の効果】
【００１１】  以上述べたように本発明によれば、例えば携帯するバッグの中に送信器を入れておく、あるいは送信機に連結されているキーホルダーを取り付けて置き、受信器側は携帯者が携帯しておくことにより、携帯したバッグを置き忘れて、携帯者とバックとが所定距離離れた場合には、受信器側の受信感度が低下し、受信器側に内蔵されたスピーカーからの警告音、警告ランプあるいは受信機本体の振動によって携帯者に警告し知らしめることができ携帯するバック等の置き忘れ、盗難を防止できる。
【００１２】また送信器の発信電波の出力を変える、あるいは受信器側の受信感度を調整する事により警告を発するまでの距離を任意に調節できる。
【図面の簡単な説明】
【図１】本発明の実施例における送信器側の要部概略図である。
【図２】本発明の実施例における受信器側の要部概略図である。
【図３】 
【符号の説明】
１‥‥送信器本体
２‥‥キーホルダー
３‥‥電源スイッチ
４‥‥受信器本体
５‥‥受信モニター用ＬＥＤ
６‥‥警告ランプ
７‥‥感度調節ツマミ
８‥‥スピーカー
９‥‥アンテナ
１０‥‥電源・ボリュームツマミ
【図１】
2005222510.tif 000003
【図２】
2005222510.tif 000004
【図３】
2005222510.tif 000005